(57)【要約】【課題】部屋の照度や明るさ感を向上させることができる照明器具を提供する。【解決手段】器具本体２０の中央側に、色温度が高い第１のＬＥＤユニット３１を配設するとともに、第１のＬＥＤユニット３１の外側に色温度が低い第２のＬＥＤユニット３２を配設したので、直下の照度を明るくすることができ、部屋の明るさ感を向上できる。【選択図】図１
2012133975.tif 000002
【特許請求の範囲】
【請求項１】
複数のＬＥＤをＬＥＤ基板に搭載して形成されるＬＥＤユニットと、
前記ＬＥＤユニットを収容して施工面に取り付けられる器具本体と、を有し、
前記ＬＥＤユニットを、色温度が高い第１のＬＥＤユニットと、色温度が低い第２のＬＥＤユニットとで構成し、
前記器具本体の中央側に前記第１のＬＥＤユニットを配設するとともに、前記第１のＬＥＤユニットの外側に前記第２のＬＥＤユニットを配設した照明器具。
【請求項２】
請求項１に記載の照明器具において、
前記器具本体は、前記施工面に対して略平行な取付面部と、前記取付面部の外側に設けられた側部とを有し、
前記取付面部に前記第１のＬＥＤユニットを配設するとともに、前記側部に前記第２のＬＥＤユニットを照射方向が外向きになるように傾斜して配設した照明器具。
【請求項３】
請求項１または請求項２に記載の照明器具において、
前記ＬＥＤユニットは一のＬＥＤユニットについて１色の色温度を有し、
前記第１のＬＥＤユニットおよび前記第２のＬＥＤユニットを同時にあるいは選択的に点灯するように制御可能である照明器具。
【請求項４】
請求項１ないし請求項３のうちのいずれか１項に記載の照明器具において、
前記第１のＬＥＤユニットおよび前記第２のＬＥＤユニットは、それぞれ２種類以上の色温度を有する照明器具。
【請求項５】
請求項１ないし請求項４のうちのいずれか１項に記載の照明器具において、
前記器具本体は、前記施工面に取り付けられている引っ掛けシーリングに着脱可能に装着される取付金具を有する照明器具。
【発明の詳細な説明】
【技術分野】
【０００１】
本発明は、ＬＥＤを光源に用い天井面等に取り付けられて下方を照明する照明器具に関するものである。
【背景技術】
【０００２】
従来より、ＬＥＤを光源に用いて天井面に取り付けられる照明器具であるシーリングライトが知られている（例えば、特許文献１参照）。
図６に示すように、特許文献１に記載の照明器具１００は、天井面１０１に取り付けられて下方を照明するものであり、天井面１０１に取り付けられる断面台形状の器具本体１０２を有する。
すなわち、器具本体１０２は、天井面１０１に平行な取付面部１０３と、この取付面部１０３から外側に向かって天井面１０１側に傾斜する傾斜面部１０４を有する。取付面部１０３および傾斜面部１０４には、それぞれ光源として複数のＬＥＤ１０５が取り付けられている。
【先行技術文献】
【特許文献】
【０００３】
【特許文献１】実用新案登録第３１５６７２１号公報（第６図）
【発明の概要】
【発明が解決しようとする課題】
【０００４】
しかしながら、前述した特許文献１に記載の照明器具においては、取付面部１０３および傾斜面部１０４に取り付けられている多数のＬＥＤ１０５の色温度は考慮されていないため、傾斜面部１０４に取り付けられたＬＥＤ１０５によって壁面を照明すると、明るさ感に乏しく、部屋全体が暗く感じるという問題があった。
【０００５】
本発明は、従来の問題を解決するためになされたもので、部屋の照度や明るさ感を向上させることができる照明器具を提供することを目的とする。
【課題を解決するための手段】
【０００６】
本発明の照明器具は、複数のＬＥＤをＬＥＤ基板に搭載して形成されるＬＥＤユニットと、前記ＬＥＤユニットを収容して施工面に取り付けられる器具本体と、を有し、前記ＬＥＤユニットを、色温度が高い第１のＬＥＤユニットと、色温度が低い第２のＬＥＤユニットとで構成し、前記器具本体の中央側に前記第１のＬＥＤユニットを配設するとともに、前記第１のＬＥＤユニットの外側に前記第２のＬＥＤユニットを配設したものである。
【０００７】
また、本発明の照明器具は、前記器具本体は、前記施工面に対して略平行な取付面部と、前記取付面部の外側に設けられた側部とを有し、前記取付面部に前記第１のＬＥＤユニットを配設するとともに、前記側部に前記第２のＬＥＤユニットを照射方向が外向きになるように傾斜して配設したものである。
【０００８】
また、本発明の照明器具は、前記ＬＥＤユニットは一のＬＥＤユニットについて１色の色温度を有し、前記第１のＬＥＤユニットおよび前記第２のＬＥＤユニットを同時にあるいは選択的に点灯するように制御可能であるものである。
【０００９】
また、本発明の照明器具は、前記第１のＬＥＤユニットおよび前記第２のＬＥＤユニットは、それぞれ２種類以上の色温度を有するものである。
【００１０】
さらに、本発明の照明器具は、前記器具本体は、前記施工面に取り付けられている引っ掛けシーリングに着脱可能に装着される取付金具を有するものである。
【発明の効果】
【００１１】
本発明は、器具本体の中央側に、色温度が高い第１のＬＥＤユニットを配設するとともに、第１のＬＥＤユニットの外側に色温度が低い第２のＬＥＤユニットを配設したので、直下の照度を明るくすることができ、部屋の明るさ感を向上できるという効果を有する照明器具を提供できる。
【図面の簡単な説明】
【００１２】
【図１】本発明に係る実施形態の照明器具を下方から見た斜視図
【図２】図１中ＩＩ方向から見た底面図
【図３】図１中ＩＩＩ方向から見た側面図
【図４】ＬＥＤユニットの分解斜視図
【図５】本発明に係る実施形態の照明器具における制御系統を示すブロック図
【図６】（Ａ）は従来の照明器具の斜視図であり、（Ｂ）は（Ａ）中Ｂ−Ｂ位置の断面図
【発明を実施するための形態】
【００１３】
以下、本発明に係る実施形態の照明器具について、図面を用いて説明する。
図１に示すように、本発明に係る実施形態の照明器具１０は、施工面である天井面１１等に取り付けられて主に下方を照明するものであり、天井面１１に取り付けられる例えば正方形状の器具本体２０を有する。
なお、図１においては、器具本体２０の前方（下方）に取り付けられる透光性カバー２６（図３参照）を外した状態を示している。
また、天井面１１には、照明器具１０を取り付けるための引っ掛けシーリング１２（図３参照）が取り付けられている。
【００１４】
図２および図３に示すように、器具本体２０は、天井面１１に取り付けられる例えば正方形状のベースプレート２１を有する。ベースプレート２１の中央には、天井面１１の引っ掛けシーリング１２に取り付けることにより照明器具１０を取り付けるための取付金具２５が、ベースプレート２１を貫通して設けられている。
また、ベースプレート２１の下面２１１には、対向する２端辺２１２、２１３から各々一定幅の区間２１２Ａ、２１３Ａを除いて、端辺２１２、２１３に平行な断面が台形であるＬＥＤユニット取付台２２が取り付けられている。
【００１５】
取付台２２は、ベースプレート２１と平行な取付面部２３と、取付面部２３の外側、すなわち四方に側部２４を有する。側部２４の一部（ここでは、例えば取付台２２の端面２３１に直交する端部）には、取付面部２３の端部とベースプレート２１との間に設けられて外側に向かってベースプレート２１に近付く方向へ傾斜した傾斜面２４１が設けられている。
【００１６】
なお、取付面部２３は、ベースプレート２１の中央に設けられている取付金具２５との干渉を避けるため、図１に示すように、２分割してもよい。
また、取付面部２３の内部には、ＬＥＤユニット３０に点灯電力を供給する電源装置２７と、電源装置２７を制御する制御部４１が収容されている。
【００１７】
取付面部２３および側部２４にはＬＥＤユニット３０が取り付けられている。
例えば、取付面部２３の中央側には、取付金具２５を挟んで両側に、各々２個の色温度が高い第１のＬＥＤユニット３１が平行に配設されている。
そして、取付面部２３における第１のＬＥＤユニット３１の外側および側部２４には、第１のＬＥＤユニット３１の色温度に比して色温度が低い第２のＬＥＤユニット３２が配設されており、下方または外向きに光を照射する。
【００１８】
従って、傾斜面２４１が設けられている側部２４においては傾斜面２４１に、傾斜面２４１が設けられていない側部２４においては取付台（図示省略）を介して各々第２のＬＥＤユニット３２が取り付けられる。
なお、側部２４に取り付けられる第２のＬＥＤユニット３２の取付角度は、調整可能とすることができる。
【００１９】
なお、ここでは、ＬＥＤユニット取付台２２として、ベースプレート２１の対向する端辺２１２，２１３に沿った断面のみが台形となっている場合を示したが、端辺２１２，２１３に直交する方向の断面にも傾斜面を設けて、全体を下方に尖った四角錐台形状とすることもできる。
【００２０】
図３に示すように、ベースプレート２１の下面２１１には、前述したＬＥＤユニット３０（第１のＬＥＤユニット３１，第２のＬＥＤユニット３２の総称である。）を収容する透光性カバー２６が着脱可能に取り付けられる。透光性カバー２６は、下向きに尖る四角錐台形状を呈している。
【００２１】
図４に示すように、ＬＥＤユニット３０は全体細長い長方形状をしており、最下層（図４において最上部）に長方形の本体３４を有する。本体３４は、放熱性を向上させるため、アクリルにより形成されている。
これにより、ＬＥＤチップ３５１が発した熱を効率的に放熱できるので、ＬＥＤユニット３０の寿命を大幅に延ばすことができる。
【００２２】
本体３４の上（図４において下）には、複数のＬＥＤチップ３５１を実装したＬＥＤ基板３５が取り付けられる。少なくとも側部２４に配設されている第２のＬＥＤユニット３２においては、ＬＥＤチップ３５１は、ＬＥＤ基板３５上に１列の直線上に配列されている。
本体３４の上（図４において下）には、ＬＥＤチップ３５１およびＬＥＤ基板３５を覆う難燃性の樹脂で形成された透光性のカバー３６が配設される。
【００２３】
そして、ＬＥＤ基板３５およびカバー３６を本体３４に取り付けるために、全体枠状のアンダーカバー３７が本体３４に取り付けられる。アンダーカバー３７は、ＡＢＳで形成されており、ねじ等の締結手段を用いずに本体３４に取り付けられて、アンダーカバー３７と本体３４との間にＬＥＤ基板３５およびカバー３６を挟持する。従って、ＬＥＤユニット３０を下方から見たときには、ＬＥＤユニット３０を組み立てているねじ等の締結手段は見えない。
【００２４】
ＬＥＤユニット３０は一のＬＥＤユニット３０について１色の色温度を有するようにすることができる。すなわち、第１のＬＥＤユニット３１は、全て同じ高い色温度とし、第２のＬＥＤユニット３２は、全て同じ低い色温度とすることができる。
このような場合には、上述したようなＬＥＤユニット３０は、取付面部２３の第１のＬＥＤユニット３１に同じ第１のＬＥＤユニット３１を用いることができる。また、取付面部２３の第２のＬＥＤユニット３２および側部２４の第２のＬＥＤユニット３２に同じ第２のＬＥＤユニット３２を用いることができる。
【００２５】
あるいは、同じＬＥＤユニット３０でも異なる色温度に設定することも可能である。すなわち、第１のＬＥＤユニット３１は、高い色温度で２種類以上設定し、第２のＬＥＤユニット３２は、低い色温度で２種類以上設定することができる。
【００２６】
図５に示すように、ＬＥＤユニット３０に点灯電力を供給する電源装置２７は、点灯切替手段４０を構成する制御部４１に接続されており、制御部４１の制御により第１のＬＥＤユニット３１および第２のＬＥＤユニット３２は個別に点灯が制御される。
また、制御部４１はスイッチ機構４２に接続されている。スイッチ機構４２としては、例えば、部屋の壁面に取り付けられているスイッチや、リモコンスイッチを用いることができる。
【００２７】
従って、ユーザがスイッチ機構４２を操作することにより制御部４１に指令を発し、制御部４１の制御により電源装置２７が、第１のＬＥＤユニット３１および第２のＬＥＤユニット３２の中から所望のＬＥＤユニット３０を点灯させる。
このときの配光パターンとしては、例えば、第１のＬＥＤユニット３１のみを点灯させる場合、第２のＬＥＤユニット３２のみ点灯させる場合、第１のＬＥＤユニット３１と取付面部２３の第２のＬＥＤユニット３２を点灯させる場合、一部の第２のＬＥＤユニット３２のみ点灯させる場合等、目的に応じて、種々の配光パターンが可能になる。
【００２８】
以上、説明した本発明に係る実施形態の照明器具１０によれば、器具本体２０の中央側に、色温度が高い第１のＬＥＤユニット３１を配設するとともに、第１のＬＥＤユニット３１の外側に色温度が低い第２のＬＥＤユニット３２を配設したので、直下の照度を明るくすることができ、部屋の明るさ感を向上できるとともに、明かりだまりを作り出すことができる。
また、色温度の高い第１のＬＥＤユニット３１の周囲に、色温度の低い第２のＬＥＤユニット３２を用いることにより、部屋の壁面側は色温度の低い光源のみを照射できる。
【００２９】
また、施工面である天井面１１に対して略平行な取付面部２３に色温度が高い第１のＬＥＤユニット３１を配設したので、直下の照度を明るくすることができ、部屋の明るさ感を向上できる。
また、取付面部２３の外側に設けられた側部２４に色温度が低い第２のＬＥＤユニット３２を照射方向が外側に向くように配設したので、部屋の壁面に色温度が低い第２のＬＥＤユニット３２の光を照射でき、壁面の照度が向上する。
また、部屋の壁面に色温度が低い第２のＬＥＤユニット３２の光を照射することにより、間接光を演出することができる。
【００３０】
また、ＬＥＤユニット３０は一のＬＥＤユニット３０について１色の色温度を有しているので、第１のＬＥＤユニット３１および第２のＬＥＤユニット３２を同時にあるいは選択的に点灯するように制御することにより、色温度が同一なＬＥＤユニット３０を点灯させて、同一な色温度の空間を形成することができる。
また、側部２４のＬＥＤユニット３０のみを点灯させることにより、壁面のみへの配光が可能になる。
【００３１】
また、第１のＬＥＤユニット３１および第２のＬＥＤユニット３２を、それぞれ２種類以上の色温度を有するように設定した場合には、２種類以上の色温度の第１のＬＥＤユニット３１または第２のＬＥＤユニット３２を組み合わせることにより、様々な空間を演出できる。
【００３２】
さらに、器具本体２０に、天井面１１に取り付けられている引っ掛けシーリング１２に着脱可能に装着される取付金具２５を設けたので、容易に照明器具１０を天井面１１に着脱できる。
【００３３】
なお、本発明の照明器具は、前述した実施形態に限定されるものでなく、適宜な変形，改良等が可能である。
【符号の説明】
【００３４】
１０  照明器具
１１  天井面（施工面）
１２  引っ掛けシーリング
２０  器具本体
２３  取付面部
２４  側部
２５  取付金具
３０  ＬＥＤユニット
３１  第１のＬＥＤユニット
３２  第２のＬＥＤユニット
３５  ＬＥＤ基板
３５１  ＬＥＤチップ（ＬＥＤ）
【図１】
2012133975.tif 000003
【図２】
2012133975.tif 000004
【図３】
2012133975.tif 000005
【図４】
2012133975.tif 000006
【図５】
2012133975.tif 000007
【図６】
2012133975.tif 000008